(57)【要約】【課題】無駄な照明用ライトの点灯を防ぐことが可能な技術を提供する。【解決手段】撮像装置１Ａは、反射型の液晶表示部８４と、当該液晶表示部８４を明るくする照明用ライト８５と、周囲環境の明るさを検出する測光素子７と、撮影光学系を経た被写体像をファインダ窓に導くファインダ部と、ファインダ窓への接眼を検知する接眼検知センサ１３と、周囲環境の明るさに応じて照明用ライト８５の出力を制御するライト制御部１２４とを備え、ライト制御部１２４は、接眼検知センサ１３が接眼を検知した場合は、周囲環境の明るさに依らず照明用ライト８５を消灯させる。【選択図】図３
2010019977.tif 000002
【特許請求の範囲】
【請求項１】
反射型の液晶表示部と、
前記液晶表示部を明るくする照明手段と、
周囲環境の明るさを検出する測光手段と、
光学系を経た被写体像をファインダ窓に導く光学ファインダ手段と、
前記ファインダ窓への接眼を検知する接眼検知手段と、
前記周囲環境の明るさに応じて前記照明手段の出力を制御する制御手段と、
を備え、
前記制御手段は、前記接眼検知手段が前記接眼を検知した場合は、前記周囲環境の明るさに依らず前記照明手段を消灯させる電子機器。
【請求項２】
反射型の液晶表示部と、
前記液晶表示部を明るくする照明手段と、
電子機器の周囲環境の明るさを検出する測光手段と、
前記電子機器のブレ量を検出するブレ検出手段と、
前記周囲環境の明るさに応じて前記照明手段の出力を制御する制御手段と、
を備え、
前記制御手段は、前記ブレ量が所定量以上である場合は、前記周囲環境の明るさに依らず前記照明手段を消灯させる電子機器。
【請求項３】
前記ブレ検出手段は、加速度センサを含む請求項２に記載の電子機器。
【請求項４】
反射型の液晶表示部と、
前記液晶表示部を明るくする照明手段と、
電子機器の周囲環境の明るさを検出する測光手段と、
前記電子機器のブレ量を検出するブレ検出手段と、
前記周囲環境の明るさに応じて前記照明手段の出力を制御する制御手段と、
を備え、
前記ブレ検出手段は、前記ブレ量を一定間隔で検出し、
前記制御手段は、所定回数連続して取得される各ブレ量がそれぞれ所定量以上である場合は、前記周囲環境の明るさに依らず前記照明手段を消灯させる電子機器。
【請求項５】
反射型の液晶表示部と、
前記液晶表示部を明るくする照明手段と、
周囲環境の明るさを検出する測光手段と、
撮影光学系を経た被写体像をファインダ窓に導く光学ファインダ手段と、
前記ファインダ窓への接眼を検知する接眼検知手段と、
前記周囲環境の明るさに応じて前記照明手段の出力を制御する制御手段と、
を備え、
前記制御手段は、前記接眼検知手段が前記接眼を検知した場合は、前記周囲環境の明るさに依らず前記照明手段を消灯させる撮像装置。
【請求項６】
反射型の液晶表示部と、
前記液晶表示部を明るくする照明手段と、
撮像装置の周囲環境の明るさを検出する測光手段と、
前記撮像装置のブレ量を検出するブレ検出手段と、
前記周囲環境の明るさに応じて前記照明手段の出力を制御する制御手段と、
を備え、
前記制御手段は、前記ブレ量が所定量以上である場合は、前記周囲環境の明るさに依らず前記照明手段を消灯させる撮像装置。
【請求項７】
反射型の液晶表示部と、
前記液晶表示部を明るくする照明手段と、
撮像装置の周囲環境の明るさを検出する測光手段と、
前記撮像装置のブレ量を検出するブレ検出手段と、
前記周囲環境の明るさに応じて前記照明手段の出力を制御する制御手段と、
を備え、
前記ブレ検出手段は、前記ブレ量を一定間隔で検出し、
前記制御手段は、所定回数連続して取得される各ブレ量がそれぞれ所定量以上である場合は、前記周囲環境の明るさに依らず前記照明手段を消灯させる撮像装置。
【発明の詳細な説明】
【技術分野】
【０００１】
本発明は、電子機器または撮像装置に設けられた反射型の液晶表示部における照明制御の技術に関する。
【背景技術】
【０００２】
従来、撮像装置では、撮影情報を表示するための表示部には、薄型で低消費電力といった特徴を持つ液晶表示部のような非自発光型の表示部を使用する場合が多い。
【０００３】
特に一眼レフカメラの中には、その背面に、撮影画像または撮影情報を表示する表示部を備え、その上面に、撮影情報を表示する補助表示部を備えたものがある。
【０００４】
補助表示部では、簡易な情報を確認できればよいため、一般的に反射型の液晶表示部が採用されている。また、当該補助表示部には、暗い環境下での視認性を改善するために、ＬＥＤ等の照明用ライトが備えられている。
【０００５】
また、特許文献１には、暗所での表示部の視認性を改善させる手法として、被写体の明るさを測定し、測定された被写体の明るさに応じて表示部の明るさを制御する技術が提案されている。
【０００６】
【特許文献１】特開２００２−３４１４２７号公報
【発明の開示】
【発明が解決しようとする課題】
【０００７】
しかしながら、暗所での補助表示部の視認性を改善するために、特許文献１に記載の技術を採用して周囲環境の明るさに応じて照明用ライトの出力を制御すると、撮影者が補助表示部を視認しない状態でも照明用ライトは点灯されることになる。このように撮影者が補助表示部を視認しない状態で照明用ライトが点灯されると、電力が無駄に消費されることになる。
【０００８】
そこで、本発明は、無駄な照明用ライトの点灯を防ぐことが可能な技術を提供することを目的とする。
【課題を解決するための手段】
【０００９】
本発明の第１の側面は、電子機器であって、反射型の液晶表示部と、前記液晶表示部を明るくする照明手段と、周囲環境の明るさを検出する測光手段と、光学系を経た被写体像をファインダ窓に導く光学ファインダ手段と、前記ファインダ窓への接眼を検知する接眼検知手段と、前記周囲環境の明るさに応じて前記照明手段の出力を制御する制御手段とを備え、前記制御手段は、前記接眼検知手段が前記接眼を検知した場合は、前記周囲環境の明るさに依らず前記照明手段を消灯させる。
【００１０】
また、本発明の第２の側面は、電子機器であって、反射型の液晶表示部と、前記液晶表示部を明るくする照明手段と、電子機器の周囲環境の明るさを検出する測光手段と、前記電子機器のブレ量を検出するブレ検出手段と、前記周囲環境の明るさに応じて前記照明手段の出力を制御する制御手段とを備え、前記制御手段は、前記ブレ量が所定量以上である場合は、前記周囲環境の明るさに依らず前記照明手段を消灯させる。
【００１１】
また、本発明の第３の側面は、電子機器であって、反射型の液晶表示部と、前記液晶表示部を明るくする照明手段と、電子機器の周囲環境の明るさを検出する測光手段と、前記電子機器のブレ量を検出するブレ検出手段と、前記周囲環境の明るさに応じて前記照明手段の出力を制御する制御手段とを備え、前記ブレ検出手段は、前記ブレ量を一定間隔で検出し、前記制御手段は、所定回数連続して取得される各ブレ量がそれぞれ所定量以上である場合は、前記周囲環境の明るさに依らず前記照明手段を消灯させる。
【発明の効果】
【００１２】
本発明によれば、無駄な照明手段の点灯を防ぐことが可能になる。
【発明を実施するための最良の形態】
【００１３】
＜１．第１実施形態＞
＜構成＞
図１は、本発明の第１実施形態に係る撮像装置１Ａの平面視の外観構成図である。図２は、撮像装置１Ａの内部構成を示した側面視の概略断面図である。この撮像装置１Ａは、レンズ交換式一眼レフレックスタイプのデジタルカメラとして構成されている。
【００１４】
図１に示すように、撮像装置１Ａは、カメラ本体部（カメラボディ）２を備えている。
【００１５】
このカメラ本体部２の正面略中央には、交換式の撮影レンズユニットである交換レンズ３が着脱可能になっている。交換レンズ３は、主として、鏡胴３６と、鏡胴３６の内部に設けられるレンズ群３７（図２参照）等とによって構成されている。
【００１６】
また、カメラ本体部２は、その上面右部にモード設定ダイヤル８２を備え、その上面左部に制御値設定ダイヤル８６を備えている。モード設定ダイヤル８２を操作することで、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定の切り替えを行うことが可能である。また、制御値設定ダイヤル８６を操作することで、各種撮影モードにおける制御値を設定することが可能である。
【００１７】
また、カメラ本体部２は、その上面右部に、シャッタースピードまたは絞りなどの撮影情報を表示するための反射型の液晶表示部（「補助表示部」とも称する）８４を備えている。補助表示部８４の内方には、補助表示部８４を照らして明るくするための照明用ライト（単に、「ライト」とも称する）８５が設けられている（図２参照）。この照明用ライト８５は、例えばＬＥＤ等により構成されている。
【００１８】
また、カメラ本体部２は、その左端部に、撮影者（または「ユーザ」とも称する）が把持するためのグリップ部１４を備えている。グリップ部１４の上面には露光開始を指示するためのシャッターボタン（レリーズボタン）１１が設けられている。
【００１９】
シャッターボタン１１は、半押し状態と全押し状態の２つの状態を検出可能な２段階検出ボタンである。シャッターボタン１１が半押し状態になると、被写体に関する記録用静止画像（本撮影画像）を取得するための準備動作（例えばＡＦ制御動作およびＡＥ制御動作等）が行われる。また、シャッターボタン１１がさらに押し込まれて全押し状態になると、当該本撮影画像の撮影動作（撮像素子５（後述）を用いて被写体像に関する露光を行い、その露光によって得られた画像信号に所定の画像処理を施して所定の記憶部に記憶する一連の動作）が行われる。
【００２０】
図２において、カメラ本体部２の背面略中央上部には、ファインダ窓１０が設けられている。
【００２１】
ファインダ窓１０の下部には、接眼検知センサ１３が設けられている。接眼検知センサ１３は、近接物体の有無を検知するセンサである。具体的には、接眼検知センサ１３は、赤外光を発する投光素子と、撮影者の顔における当該赤外光の反射光を受光する受光素子とを備えており、反射光の有無を検出することによって、ユーザによる光学ファインダ使用の有無を検知する。
【００２２】
また、カメラ本体部２の背面略中央には、モニタ１２が設けられている。モニタ１２は、例えばカラー液晶ディスプレイ（ＬＣＤ）として構成されており、撮像画像等を表示する表示手段として機能する。
【００２３】
また、図２に示すように、カメラ本体部２の内部には、撮像素子５が設けられており、交換レンズ３から撮像素子５に至る光路ＬＴ上に、ミラー機構６およびシャッタ４が設けられている。
【００２４】
ミラー機構６は、光路ＬＴを遮断した状態（以下、「ミラーダウン状態」とも称する）または光路ＬＴから退避した状態（以下、「ミラーアップ状態」とも称する）との間で姿勢を切り替えることが可能となっている。また、ミラー機構６は、交換レンズ３からの光を上方に向けて反射する主ミラー６１を有している。この主ミラー６１は、例えばその一部または全部がハーフミラーとして構成されており、ミラーダウン状態で、交換レンズ３からの光の一部を透過させる。また、ミラー機構６は、主ミラー６１を透過した光を下方に反射させるサブミラー６２を有している。サブミラー６２で下方に反射された光は、ミラー機構６の下方に配置された位相差ＡＦモジュール２０に入射し、位相差ＡＦの動作に利用される。
【００２５】
撮影モードにおいてシャッターボタン１１が全押し状態にされるまで（換言すれば構図決めの際に）、ミラー機構６は、ミラーダウン状態となるように駆動される。これにより交換レンズ３からの被写体光は、主ミラー６１で上方に反射されてファインダ部１０２に入射される。ファインダ部１０２では、被写体光は、ペンタプリズム６５により光路変更され、接眼レンズ６７を介してファインダ窓１０の外側に導かれる。このように、構図決めの際には、撮影者は、ファインダ窓１０を介して被写体の構図を見ることができる。
【００２６】
そして、シャッターボタン１１が全押し状態にされると、ミラー機構６は、ミラーアップ状態となるように駆動される。これにより、交換レンズ３からの被写体光がシャッタ４の開放タイミングに合わせて撮像素子５に到達する。撮像素子５は、光電変換によって、受光した光束に基づいて被写体像に関する画像信号を生成する。このように、被写体からの光が、撮影光学系としての交換レンズ３を介して撮像素子５に導かれることによって、被写体に係る撮影画像（撮影画像データ）が得られる。
【００２７】
また、カメラ本体部２の内部には、交換レンズ３７からの光路付近（例えばペンタプリズム６５上部）に測光素子７が設けられている。この測光素子７は、被写体像の光量を測定して、撮像装置１Ａの周囲環境の明るさを検出する機能を有している。
【００２８】
次に、撮像装置１Ａの機能の概要について説明する。図３は、撮像装置１Ａの機能構成を示すブロック図である。図４は、測光素子７の出力電圧と露光量（ＥＶ）との関係を示す図である。
【００２９】
図３に示されるように、撮像装置１Ａは、位相差ＡＦモジュール２０、操作部８０、全体制御部１００、撮像素子５、Ａ／Ｄ変換回路５２、デジタル信号処理回路５０、および画像メモリ５６等を備える。
【００３０】
操作部８０は、シャッターボタン１１（図１参照）を含む各種ボタンおよびスイッチ等を備えて構成される。操作部８０に対するユーザの入力操作に応答して、全体制御部１００が各種動作を実現する。
【００３１】
撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００３２】
撮像素子５で取得された画像信号（アナログ信号）は、Ａ／Ｄ変換回路５２によってデジタル信号に変換される。デジタル信号に変換された画像信号は、デジタル信号処理回路５０に入力される。
【００３３】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００３４】
画像メモリ５６は、生成された画像データを一時的に記憶するための、高速アクセス可能なメモリであり、複数フレーム分の画像データを記憶可能な容量を有している。
【００３５】
本撮影時には、画像メモリ５６に一時記憶される画像データは、全体制御部１００において適宜画像処理（圧縮処理等）が施された後、メモリカード９０に記憶される。
【００３６】
全体制御部１００は、マイクロコンピュータとして構成され、主にＣＰＵ，ＲＡＭ１２０Ａ、およびＲＯＭ１２０Ｂ等を備える。全体制御部１００は、ＲＯＭ１２０Ｂ内に格納されたプログラムを読み出し、当該プログラムをＣＰＵで実行することによって、各種機能を実現する。
【００３７】
全体制御部１００は、上述のプログラムの実行によって、位相差ＡＦ制御部１２１、駆動制御部１２２、露出制御部１２３、ライト制御部１２４、および表示制御部１２５等を機能的に実現する。
【００３８】
位相差ＡＦ制御部１２１は、位相差検出方式による自動合焦（ＡＦ）動作（位相差ＡＦ）を行う。具体的には、位相差ＡＦ制御部１２１は、ＡＦモジュール２０から出力される焦点情報に基づいて、合焦時のフォーカスレンズの位置（レンズ合焦位置）を特定するレンズ合焦位置特定動作を行う。
【００３９】
駆動制御部１２２は、位相差ＡＦ制御部１２１からの制御信号に応じてフォーカスレンズを光軸方向に移動させるレンズ駆動動作を実行させる。
【００４０】
具体的には、駆動制御部１２２は、位相差ＡＦ制御部１２１からの制御信号に応じて、交換レンズ３内のレンズ側制御部３１を動作させる。レンズ側制御部３１は、駆動制御部１２２からの指令に応じてレンズ駆動部３８を駆動させ、交換レンズ３のレンズ群３７に含まれるフォーカスレンズを光軸方向に移動させる。また、フォーカスレンズの位置（単に「レンズ位置」とも称する）は、交換レンズ３のレンズ位置検出部３９によって検出され、フォーカスレンズの位置を示すデータがレンズ側制御部３１からカメラ本体部２の全体制御部１００に送られる。
【００４１】
露出制御部１２３は、シャッタースピードと絞り値とを調節する露出制御を行うものである。具体的には、露出制御部１２３は、測光素子７の出力電圧に基づいて露光量（露出値）を決定する。
【００４２】
例えば、測光素子７が検出輝度をその検出輝度に反比例した電圧として出力する場合、測光素子７の出力電圧と露光量との関係は図４のようになり、出力電圧に対応した露光量が取得される。なお、図４中のＥＶは露光量を表す数値であり、ＥＶが大きい程、被写体の輝度（すなわち周囲環境の輝度）は明るくなる。そして、露出制御部１２３は、取得された露光量に基づいて適正露出となるようにシャッタースピードおよび絞り値を設定する。
【００４３】
ライト制御部１２４は、撮像装置１Ａの周囲環境の明暗に応じて照明用ライト８５の出力を制御する機能を有している。
【００４４】
具体的には、ライト制御部１２４は、露出制御部１２３で取得された露光量が、予めＲＯＭ１２０Ｂに記憶された輝度に関する所定の閾値（「輝度閾値」または「基準輝度閾値」とも称する）より大きいか否かを判定する。
【００４５】
そして、ライト制御部１２４は、測光素子７の検出輝度に応じて取得された露光量が輝度閾値（例えば９ＥＶ）より大きい場合は、照明用ライト８５を消灯させ、露光量が輝度閾値以下の場合は、照明用ライト８５を点灯させて補助表示部８４を明るくする。
【００４６】
また、ライト制御部１２４は、接眼検知センサ１３による接眼検知の有無に応じて、照明用ライトの点灯／消灯制御を行う。詳細は、後述する。
【００４７】
表示制御部１２５は、モニタ１２などの表示部における表示内容を制御する。例えば、表示制御部１２５は、再生モードにおいて、メモリカード９０に保存された撮影画像をモニタ１２に表示させる。また、表示制御部１２５は、撮影モードにおいて、液晶ドライバ８６を介して補助表示部８４に、シャッタースピードまたは絞りなどの撮影情報を表示させる。
【００４８】
＜動作＞
撮像装置１Ａにおける照明用ライト８５の制御動作について説明する。図５は、照明用ライト８５の制御動作を示すフローチャートである。
【００４９】
図５に示されるように、ステップＳＰ１では、ライト制御部１２４によって、ＲＯＭ１２０Ｂに予め記憶された輝度に関する閾値データが取得される。
【００５０】
ステップＳＰ２では、露出制御部１２３において、測光素子７からの輝度情報に基づいて露光量が取得される。
【００５１】
ステップＳＰ３では、ライト制御部１２４において、露光量が輝度閾値より大きいか否かが判定される。
【００５２】
そして、露光量が輝度閾値より大きい場合は、ライト制御部１２４において、撮像装置１Ａの周囲環境は明るいと判断され、ステップＳＰ４に移行される。ステップＳＰ４では、ライト制御部１２４は、照明用ライト８５を消灯させる。
【００５３】
一方、露光量が輝度閾値以下の場合は、ライト制御部１２４において、撮像装置１Ａの周囲環境は暗いと判断され、ステップＳＰ５に移行される。
【００５４】
ステップＳＰ５では、接眼検知センサ１３により接眼が検知されている場合は、ライト制御部１２４によって、撮影者はファインダ窓１０を覗いていると判断され、ステップＳＰ４に移行される。ステップＳＰ４では、ライト制御部１２４は、照明用ライト８５を消灯させる。
【００５５】
一方、ステップＳＰ５で、接眼検知センサ１３により接眼が検知されていない場合は、ライト制御部１２４によって、撮影者はファインダ窓１０を覗いていないと判断され、ステップＳＰ６に移行される。ステップＳＰ６では、ライト制御部１２４は、照明用ライト８５を点灯させる。
【００５６】
そして、ステップＳＰ４またはステップＳＰ６における照明用ライト８５の点灯／消灯制御が終了すると、ステップＳＰ７に移行し一定時間待機して、ステップＳＰ２に戻る。
【００５７】
上記のステップＳＰ１〜ＳＰ７を繰り返すことで、撮像装置１Ａの周囲環境が暗い場合でも、撮影者がファインダ窓１０を覗いているときは、照明用ライト８５が消灯される。
【００５８】
なお、上記の動作は、例えば、撮影モード時において適用され、再生モード時には適用されない。再生モード時は、例えば、初期的に照明用ライト８５は消灯制御され、操作部８０の操作により照明用ライト８５の点灯／消灯が切替可能になっている。
【００５９】
以上のように、撮像装置１Ａのライト制御部１２４は、接眼検知センサ１３が接眼を検知した場合は、周囲環境の明るさに依らず補助表示部８４の照明用ライト８５を消灯させる。これによれば、撮影者が補助表示部８４を視認しない接眼状態において、無駄な照明用ライト８５の点灯を防ぐことが可能になり、ひいては消費電力を低減することができる。
【００６０】
＜２．第２実施形態＞
本発明の第２実施形態に係る撮像装置１Ｂは、撮影情報の確認および撮影条件の変更は、撮影者の静止状態で行い、撮影者の歩行中は行わないことを考慮して、撮像装置１Ｂの周囲環境が暗い場合でも、撮影者の歩行中は、照明用ライト８５を消灯する様にしたものである。図６は、撮像装置１Ｂの機能構成を示すブロック図である。図７は、ジャイロセンサにおける検出角速度と出力電圧との関係を示す図である。
【００６１】
なお、第２実施形態に係る撮像装置１Ｂは、撮影者が歩行中であるか否かを判定するために、撮像装置１Ｂのブレを検出する加速度センサ９９を備える点以外は、撮像装置１Ａとほぼ同様の構成および機能（図１〜図３参照）を有している。このため、共通する部分については同じ符号を付して説明を省略する。
【００６２】
撮影者の歩行中は、その歩行による揺れにより撮像装置１Ｂに加速度が発生する。図６に示されるように、撮像装置１Ｂは、撮像装置１Ｂの加速度を検出する加速度センサ９９を備え、撮影者が歩行中であるか静止状態であるかを判定する。
【００６３】
加速度センサ９９としては、例えば手ブレ検出用に予め備えられているジャイロセンサが用いられ、当該加速度センサ９９は、撮像装置１Ｂのブレ量を検出するブレ検出手段として機能する。なお、ジャイロセンサは角速度を検出するが、ここでは、角速度も加速度の一種と見なす。
【００６４】
ライト制御部１２４は、測光素子の測光結果に基づく露光量が輝度閾値より小さい場合において、加速度センサ９９の検出加速度が所定の閾値加速度より大きいときは、撮影者は歩行中であると判断して、照明用ライト８５を消灯させる。また、加速度センサ９９の検出加速度が所定の閾値加速度より小さいときは、撮影者は静止状態であると判断して、照明用ライト８５を点灯させる。また、露光量が輝度閾値より大きい場合は、照明用ライト８５を消灯させる。なお、上記の所定の閾値加速度は、ＲＯＭ１２０Ｂに予め記憶されている。
【００６５】
なお、撮影者の手ブレによる揺れと撮影者の歩行による揺れとを区別し、撮影者の手ブレによる揺れの場合は、撮影者の静止状態と見なして照明用ライト８５を点灯させることが望ましい。一般にジャイロセンサは、図７に示すように、検出角速度に比例した大きさの電圧を出力する。また、撮影者の手ブレによる揺れよりも、撮影者の歩行による揺れの方が大きい。このため、加速度センサ９９からの出力電圧は、撮影者の手ブレによる揺れに応じて出力される場合よりも、撮影者の歩行による揺れに応じて出力される場合の方が大きくなる。
【００６６】
そこで、図７に示すように、上記の所定の閾値加速度（この場合は所定の閾値角速度）に対応した基準電圧ＶＫを設定することで、撮影者の手ブレによる揺れと撮影者の歩行による揺れとを区別することができる。すなわち、加速度センサ９９からの出力電圧と、基準電圧ＶＫとの比較結果に基づいて、照明用ライト８５の点灯／消灯を制御することができる。
【００６７】
ここで、図８を参照して、撮像装置１Ｂにおける照明用ライト８５の制御動作を説明する。図８は、撮像装置１Ｂにおける照明用ライト８５の制御動作を示すフローチャートである。
【００６８】
図８に示されるように、ステップＳＰ１〜ＳＰ３では、図５の場合と同様の処理が実行される。
【００６９】
簡単には、ステップＳＰ１では、ライト制御部１２４によって、ＲＯＭ１２０Ｂから輝度に関する閾値データが取得される。ステップＳＰ２では、露出制御部１２３において、測光素子７からの輝度情報に基づいて露光量が取得される。ステップＳＰ３では、ライト制御部１２４において、露光量が輝度閾値より大きいか否かが判定される。
【００７０】
そして、露光量が輝度閾値より大きい場合は、図５の場合と同様に、ライト制御部１２４において、撮像装置１Ｂの周囲環境は明るいと判断され、ステップＳＰ４に移行される。ステップＳＰ４では、ライト制御部１２４は、照明用ライト８５を消灯させる。
【００７１】
一方、露光量が輝度閾値以下の場合は、ライト制御部１２４において、撮像装置１Ｂの周囲環境は暗いと判断され、ステップＳＰ１１に移行される。
【００７２】
ステップＳＰ１１では、ライト制御部１２４によって、加速度センサ９９から検出加速度が取得される。
【００７３】
ステップＳＰ１２では、ライト制御部１２４において、検出加速度が所定の閾値加速度より大きいが否かが判定される。加速度センサ９９の検出加速度が所定の閾値加速度より大きい場合は、ライト制御部１２４によって、撮影者は歩行中であると判断され、ステップＳＰ４に移行される。ステップＳＰ４では、ライト制御部１２４は、照明用ライト８５を消灯させる。
【００７４】
一方、ステップＳＰ１２において、加速度センサ９９の検出加速度が所定の閾値加速度より小さいと判定された場合は、ライト制御部１２４において、撮影者は静止状態であると判断され、ステップＳＰ６に移行される。ステップＳＰ６では、ライト制御部１２４は、照明用ライト８５を点灯させる。なお、ステップＳＰ１２において、検出加速度と所定の閾値加速度とが等しいと判定された場合は、ステップＳＰ４またはステップＳＰ６のいずれか一方に移行される。
【００７５】
そして、ステップＳＰ４またはステップＳＰ６における照明用ライト８５の点灯／消灯制御が終了すると、ステップＳＰ７に移行し一定時間待機して、ステップＳＰ２に戻る。
【００７６】
上記の各工程を繰り返すことで、撮像装置１Ｂの周囲環境が暗い場合でも、撮影者が歩行中のときは、自動的に照明用ライト８５が消灯される。
【００７７】
以上のように、撮像装置１Ｂのライト制御部１２４は、撮像装置１Ｂのブレ量が所定量以上である場合は、周囲環境の明るさに依らず照明用ライト８５を消灯させる。これによれば、撮影者が補助表示部８４を視認しない歩行状態において、無駄な照明用ライト８５の点灯を防ぐことが可能になり、ひいては消費電力を低減することができる。
【００７８】
＜３．第３実施形態＞
本発明の第３実施形態に係る撮像装置１Ｃは、第２実施形態の変形例である。具体的には、第２実施形態では、所定の閾値加速度を設定して、撮影者の手ブレによる揺れと撮影者の歩行による揺れとを区別していたが、第３実施形態では、第２実施形態の場合とは異なる手法でそれらを区別する。
【００７９】
なお、撮像装置１Ｃの構成は、第２実施形態に係る撮像装置１Ｂの構成（図１、２および図６参照）と同様であり、共通する部分については同じ符号を付して説明を省略する。
【００８０】
図９は、加速度センサ９９の出力電圧を一定時間（例えば１００ｍｓ）ごとに（一定間隔で）プロットした図である。図９に示すように、撮影者の静止状態では、加速度センサ９９の出力電圧は、ほとんど基準電圧ＶＫより小さく、単発的に基準電圧ＶＫより大きいものが存在するだけである。これに対して、撮影者の歩行中では、加速度センサ９９の出力電圧は、連続的に基準電圧ＶＫより大きくなる。このことから、所定の閾値加速度より大きな加速度が加速度センサ９９によって所定回数連続して検出されたか否かに基づいて、撮影者の手ブレによる揺れと撮影者の歩行による揺れとを区別することができる。
【００８１】
本実施形態では、ライト制御部１２４は、加速度センサ９９から検出加速度を順次取得し、当該各検出加速度と所定の閾値加速度とを比較する。そして、ライト制御部１２４は、測光素子の測光結果に基づく露光量が輝度閾値より小さい場合において、所定の閾値加速度より大きな加速度が加速度センサ９９によって所定回数（例えば５回）連続して検出されたときは、照明用ライト８５を消灯させる。一方、ライト制御部１２４は、露光量が輝度閾値より小さい場合において、所定の閾値加速度より大きな加速度が加速度センサ９９によって所定回数（例えば５回）連続して検出されないときは、照明用ライト８５を点灯させる。また、ライト制御部１２４は、露光量が輝度閾値より大きい場合は、照明用ライト８５を消灯させる。
【００８２】
次に、撮像装置１Ｃにおける照明用ライト８５の制御動作を説明する。図１０は、撮像装置１Ｃにおける照明用ライト８５の制御動作を示すフローチャートである。
【００８３】
図１０に示されるように、ステップＳＰ１〜ＳＰ３では、図５の場合と同様の処理が実行される。
【００８４】
そして、ステップＳＰ３において、露光量が輝度閾値より大きい場合は、ライト制御部１２４は、撮像装置１Ｂの周囲環境は明るいと判断して、ステップＳＰ２１でカウンタｋをリセットした後、ステップＳＰ４で照明用ライト８５を消灯させる。
【００８５】
一方、露光量が輝度閾値以下の場合は、ライト制御部１２４によって、撮像装置１Ｃの周囲環境は暗いと判断され、ステップＳＰ１１に移行される。
【００８６】
ステップＳＰ１１では、ライト制御部１２４によって、加速度センサ９９から検出加速度が取得される。
【００８７】
ステップＳＰ１２では、検出加速度が所定の閾値加速度より大きいか否かが判定される。加速度センサ９９の検出加速度が所定の閾値加速度より大きい場合は、ステップＳＰ２２に移行される。
【００８８】
ステップＳＰ２２では、カウンタが「１」インクリメントされる。
【００８９】
次のステップＳＰ２３では、カウンタｋが所定回数Ｎ（例えば５）以上であるか否かの判定が行われる。当該判定の結果、カウンタｋが所定回数Ｎ以上でない場合は、ライト制御部１２４において、撮影者は静止状態（すなわち手ブレ状態）であると判断され、ステップＳＰ６に移行される。ステップＳＰ６では、ライト制御部１２４は、照明用ライト８５を点灯させる。
【００９０】
一方、ステップＳＰ２３で、カウンタｋが所定回数Ｎ以上と判定された場合は、ライト制御部１２４によって、撮影者は歩行中であると判断され、ステップＳＰ４に移行される。ステップＳＰ４では、ライト制御部１２４は、照明用ライト８５を消灯させる。
【００９１】
ステップＳＰ１２において、加速度センサ９９の検出加速度が所定の閾値加速度より小さいと判定された場合は、ライト制御部１２４によって、撮影者は静止状態であると判断され、ステップＳＰ２４に移行される。
【００９２】
ステップＳＰ２４では、カウンタｋがリセットされ、次のステップＳＰ６では、ライト制御部１２４は、照明用ライト８５を点灯させる。
【００９３】
なお、ステップＳＰ１２において、検出加速度と所定の閾値加速度とが等しいと判定された場合は、ステップＳＰ２２またはステップＳＰ２４のいずれか一方に移行する。
【００９４】
そして、ステップＳＰ４またはステップＳＰ６における照明用ライト８５の点灯／消灯制御が終了すると、ステップＳＰ７に移行し一定時間待機して、ステップＳＰ２に戻る。
【００９５】
この動作では、撮像装置１Ｃの周囲環境が暗い場合において、撮影者が歩行中のときは、照明用ライト８５は消灯され、撮影者が静止状態のときは、照明用ライト８５は点灯される。
【００９６】
すなわち、上記各工程を繰り返すことによれば、撮像装置１Ｃの周囲環境が暗い場合でも、撮影者の歩行中は、自動的に照明用ライト８５が消灯されるので、消費電力を低減することができる。
【００９７】
以上のように、撮像装置１Ｃの加速度センサ９９は、撮像装置１Ｃのブレ量を一定間隔で検出し、ライト制御部１２４は、所定回数連続して取得される各ブレ量がそれぞれ所定量以上である場合は、周囲環境の明るさに依らず照明用ライト８５を消灯させる。これによれば、撮影者が補助表示部８４を視認しない歩行状態を精度良く特定することが可能になり、無駄な照明用ライト８５の点灯を防ぐことができる。
【００９８】
＜４．変形例＞
以上、この発明の実施の形態について説明したが、この発明は、上記に説明した内容に限定されるものではない。
【００９９】
例えば、上記各実施形態では、本発明が電子機器としての撮像装置１Ａ，１Ｂ，１Ｃに適用される場合について例示したが、本発明を反射型の液晶表示部を有する他の電子機器（例えば携帯電話）に適用してもよい。
【図面の簡単な説明】
【０１００】
【図１】第１実施形態に係る撮像装置の平面視の外観構成図である。
【図２】撮像装置の内部構成を示した側面視の概略断面図である。
【図３】撮像装置の機能構成を示すブロック図である。
【図４】測光素子の出力電圧と露光量との関係を示す図である。
【図５】第１実施形態に係る照明用ライトの制御動作を示すフローチャートである。
【図６】第２実施形態に係る撮像装置の機能構成を示すブロック図である。
【図７】加速度センサにおける検出角速度と出力電圧との関係を示す図である。
【図８】第２実施形態に係る照明用ライトの制御動作を示すフローチャートである。
【図９】加速度センサの出力電圧を一定時間ごとにプロットした図である。
【図１０】第３実施形態に係る照明用ライトの制御動作を示すフローチャートである。
【符号の説明】
【０１０１】
１Ａ，１Ｂ，１Ｃ  撮像装置
７  測光素子
１０  ファインダ窓
１３  接眼検知センサ
８４  補助表示部
８５  照明用ライト
９９  加速度センサ
１００  全体制御部
１２３  露出制御部
１２４  ライト制御部
１２５  表示制御部
【図１】
2010019977.tif 000003
【図２】
2010019977.tif 000004
【図３】
2010019977.tif 000005
【図４】
2010019977.tif 000006
【図５】
2010019977.tif 000007
【図６】
2010019977.tif 000008
【図７】
2010019977.tif 000009
【図８】
2010019977.tif 000010
【図９】
2010019977.tif 000011
【図１０】
2010019977.tif 000012